(57)【特許請求の範囲】
【請求項１】
遊技機に設けられる制御基板の表面側を覆う第１ケース部材と、制御基板の裏面側を覆う第２ケース部材と、第１ケース部材と第２ケース部材とが制御基板を収容する状態で、第１ケース部材と第２ケース部材を連結して封止する封止手段とを有する遊技機用基板ケースであって、
封止手段は、第１ケース部材と第２ケース部材とを連結する連結部材を有し、
連結部材は、第１ケース部材を係止する第１係止部と、第２ケース部材を係止する第２係止部と、第１係止部及び第２係止部を所定の間隔をおいて連結する連結部とを有し、
連結部材は、所定の押圧によって連結部を破断し、第１係止部と第２係止部を分割することによって、第１係止部と第２係止部の少なくとも一方が、第１ケース部材または第２ケース部材に残留した状態で、第１ケース部材と第２ケース部材との連結を解除可能に構成されており、
第１係止部と第２係止部との間には隙間が形成されており、
第１係止部と第２係止部との間の隙間を覆うとともに、工具等の隙間への進入を阻止する蓋体が連結部材に一体に設けられ、
蓋体は、第１係止部と第２係止部との間の隙間を被覆する被覆部と、前記隙間に挿入される少なくとも２つのガイド突起部とを有し、
前記被覆部は、第１係止部と第２係止部との間の隙間への工具等の進入を阻止する阻止部として構成され、
少なくとも２つのガイド突起部は、前記隙間に挿入されたときに、連結部材の連結部と干渉しないように、この連結部の幅よりも大きな間隔をおいて被覆部に一体に形成されてなることを特徴とする遊技機用基板ケース。
【請求項２】
前記阻止部としての被覆部は、所定の押圧によって破断する破断部と、前記連結部に被覆部が接触しないようにするための凹部とを備える請求項１に記載の遊技機用基板ケース。
【請求項３】
前記阻止部は、第１係止部と第２係止部と隙間とを覆うように構成される請求項１に記載の遊技機用基板ケース。
【請求項４】
前記阻止部は、固定手段を介して連結部材に一体に取り付けられる請求項１から３のいずれか１項に記載の遊技機用基板ケース。
【請求項５】
前記阻止部は、その上面に、工具を当接させて押圧可能とするとともに、この工具の押圧によって破断部を破断可能とする押圧部を有し、さらに、この押圧部が凹部とされる請求項２に記載の遊技機用基板ケース。
【請求項６】
前記阻止部は、透明な合成樹脂材料によって形成される請求項１から５のいずれか１項に記載の遊技機用基板ケース。
【発明の詳細な説明】
【技術分野】
【０００１】
本発明は、スロットマシン、パチンコ機などの遊技機に装備される制御基板を収納する遊技機用基板ケースに関する。
【背景技術】
【０００２】
近年、パチンコ機やスロットマシン等の遊技機においては、上ケース（第１ケース部材）と下ケース（第２ケース部材）とで開閉自在に構成された基板ケース内に、ＲＯＭやコネクタ等の電子部品を実装した制御基板を収納し、この基板ケースを遊技機の筐体の所定箇所に直接または下ケースに固定した取付プレートを介して取り付け、制御基板側のＲＯＭ等の電子部品により遊技動作を制御する電子制御方式が採用されている。
【０００３】
この種の遊技機では、制御基板に実装されたＲＯＭ等の電子部品を不正に交換できないようにすると同時に、監督官庁による検査や修理等の際に、基板ケースを開けて容易に検査等ができるようにしておく必要がある。
【０００４】
そのための対応策として、また従来の封印方式に代わるものとして、例えば、下記特許文献１に開示されるように、基板ケースの周縁部に上ケースと下ケースとを結合するための複数の結合部を外方に突出して形成し、一回の結合時には、その中の１つの結合部で、ワンウェイねじ、リベットまたはピン等の締結具によって分離不能に結合し、その結合後に開封するときには、結合した結合部を上ケースの本体側からニッパ等の切断工具で切断するようにしたものが知られている。
【０００５】
この対応策では、結合後に開封したときには、上ケースに、結合部と切断した痕跡が残るとともに、下ケースにも上ケースから切断された結合部が締結具に結合されたまま残るため、ＲＯＭ等の電子部品の不正交換を防止する上で有効であるという利点がある。なお、特許文献１に開示のものでは、詳しくは上ケースを上蓋部分と側壁部分とに分離し、この上蓋部分の周縁部に複数の結合部を形成している。
【０００６】
ところが、上記従来の対応策では、結合部を上ケースの本体側から切断する箇所は、結合部を支持する機能をも有していることから、ある程度の強度に設定する必要がある。このため、この箇所を切断することは容易ではなく、その分、手間がかかるという問題がある。また、切断箇所が上ケースの周縁から突出しているため、上ケースと下ケースとを再度結合するときなどに、この切断箇所に作業者の手等が引っ掛かって負傷する虞もある。
【０００７】
そのため、本件出願人は、かかる従来の基板ケースの問題点を克服すべく、基板ケースの封止手段として、プッシュピン方式の締結具（連結部材）を用い、この締結具の押し込み量によって、ロック準備状態（待機状態）→ロック状態（封止状態）→ロック解除状態（封止解除状態）の順に状態変化させることができる基板ケースについて特許出願をし、この特許出願は、下記特許文献２として公開されている。
【０００８】
この特許文献２に開示された基板ケースは、締結具（連結部材）の一部のみを切断することにより、上ケースおよび下ケースの両方に開封の痕跡を残して不正行為の防止を図りながら、ロック（封止）およびロック解除（封止解除）を容易に行うことができ、かつ、ロック解除時にケースの切断を必要としないため、切断箇所での負傷をも未然に防止できるものである。
【特許文献１】特許第２８９５８２９号公報
【特許文献２】特開２００６−１５００４４号公報
【発明の開示】
【発明が解決しようとする課題】
【０００９】
しかしながら、上記特許文献２にかかる遊技機用基板ケースにおいても、ロック準備状態からロック状態に締結具（連結部材）を手で押し込む際に、締結部に形成した脆弱部が切断される不測の現象を生じるため、ロック（封止）操作時に細心の注意が必要であった。
【００１０】
また、ロック解除時には、締結具の中心のピン部をドライバー等の工具の先端で押し込み、前記脆弱部を切断する必要があるが、ピン部とそれを取り巻く筒状頭部との間には隙間があるため、押し込み操作時に、工具の先端がこの隙間に入り、ピン部をうまく垂直に押し込めない場合があった。
【００１１】
本発明は上記の事情に鑑みてなされたものであり、封止手段としてプッシュピン方式の連結部材を用いた場合に、封止、封止解除の操作を、より簡単にできるようにした遊技機用基板ケースを提供することを課題とする。
【課題を解決するための手段】
【００１２】
本発明は、上記の課題を解決するためのものであって、遊技機に設けられる制御基板の表面側を覆う第１ケース部材と、制御基板の裏面側を覆う第２ケース部材と、第１ケース部材と第２ケース部材とが制御基板を収容する状態で、第１ケース部材と第２ケース部材を連結して封止する封止手段とを有する遊技機用基板ケースであって、封止手段は、第１ケース部材と第２ケース部材とを連結する連結部材を有し、連結部材は、第１ケース部材を係止する第１係止部と、第２ケース部材を係止する第２係止部と、第１係止部及び第２係止部を所定の間隔をおいて連結する連結部とを有し、連結部材は、所定の押圧によって連結部を破断し、第１係止部と第２係止部を分割することによって、第１係止部と第２係止部の少なくとも一方が、第１ケース部材または第２ケース部材に残留した状態で、第１ケース部材と第２ケース部材との連結を解除可能に構成されており、第１係止部と第２係止部との間には隙間が形成されており、第１係止部と第２係止部との間の隙間を覆うとともに、工具等の隙間への進入を阻止する蓋体が連結部材に一体に設けられ、蓋体は、第１係止部と第２係止部との間の隙間を被覆する被覆部と、前記隙間に挿入される少なくとも２つのガイド突起部とを有し、前記被覆部は、第１係止部と第２係止部との間の隙間への工具等の進入を阻止する阻止部として構成され、少なくとも２つのガイド突起部は、前記隙間に挿入されたときに、連結部材の連結部に干渉しないように、この連結部の幅よりも大きな間隔をおいて被覆部に一体に形成されてなることを特徴とする。
【００１３】
かかる構成によれば、第１係止部と第２係止部の間に形成される隙間の上方に阻止部を設けることによって、封止を解除する際に、工具がこの隙間に進入することを防止できるようになる。また、作業者の指でこの連結部材を操作して第１ケース部材と第２ケース部材とを封止する場合に、この阻止部を指で押すだけで簡単に操作できるようになる。
【００１４】
連結部材に阻止部が設けられていない場合には、第１係止部と第２係止部の間に隙間が形成された状態で指で操作することになるため、第１係止部や第２係止部に偏った荷重が作用し、場合によっては第１係止部と第２係止部が不測に分割されるおそれがある。本発明によれば、このような不測の事態を防止できるようになり、この点においても有用である。
【００１５】
また、本発明に係る遊技機用基板ケースは、前記阻止部が、第１係止部と第２係止部と隙間とを覆うように構成されていてもよい。
【００１６】
阻止部が第１係止部と第２係止部を覆うことにより、例えば、基板ケースを封止するためにこの阻止部を操作すると、その力が第１係止部と第２係止部に確実に伝達でき、連結部材に偏った荷重が作用するのを防止できるようになる。
【００１７】
また、本発明に係る遊技機用基板ケースによれば、前記阻止部としての被覆部は、所定の押圧によって破断する破断部と、前記連結部に被覆部が接触しないようにするための凹部とを備える構成を採用できる。
【００１８】
かかる構成によれば、連結部材による遊技機用基板ケースの封止を解除する場合に、所定の工具等によって阻止部を押圧して破断部を破断させ、第１係止部と第２係止部を連結する連結部を破断させるようにすれば、封止の解除を容易に行うことができるようになる。
また、本発明に係る遊技機用基板ケースは、前記阻止部が、固定手段を介して連結部材に一体に取り付けられる構成を採用できる。
【００１９】
かかる構成によれば、連結部材を操作する場合に、阻止部がこの連結部から離れることなく、連結部材とともに移動することになり、この点で連結部材の操作が容易になる。また、阻止部の破断部を破断させると同時に第１係止部と第２係止部との連結部を破断させることができるようになり、封止解除の操作も容易に行うことができるようになる。
【００２０】
また、本発明に係る遊技機用基板ケースは、前記阻止部が、その上面に、工具を当接させて押圧可能とするとともに、この工具の押圧によって、破断部を破断可能とする押圧部を有し、さらに、この押圧部が凹部とされている構成を採用できる。
【００２１】
かかる構成によれば、破断部を破断させるために、工具によって押圧される押圧部を凹部とすることによって、工具をこの押圧部に当接させたときに、工具がこの押圧部から外れるということを防止でき、所望の位置で押圧を行って破断部を確実に破断できるようになる。
【００２２】
また、本発明に係る遊技機用基板ケースは、前記阻止部が、透明な合成樹脂材料によって形成される構成を採用できる。
【００２３】
かかる構成によれば、阻止部を透明にすることで、連結部材の状態を視認できるようになり、連結部材が適正な状態にあるか否か、または、不正な行為の有無等の確認を容易にできるようになる。
【発明の効果】
【００２４】
本発明によれば、封止手段としてプッシュピン方式の連結部材を用いた場合に、封止、封止解除の操作を、より簡単にできるようになる。
【発明を実施するための最良の形態】
【００２５】
以下、本発明の実施の形態について図面を参照しながら説明する。
【００２６】
図１〜図２０は、本発明に係る遊技機用基板ケース（以下、単に「基板ケース」という）およびこの基板ケースが内部に組み込まれた遊技機の一実施形態を示している。図１、図２は、本発明に係る遊技機１の例としてスロットマシンを示している。この遊技機１は、筺体２と、この筺体２に開閉自在に取り付けられた前扉３を有する。
【００２７】
図１に示すように、前扉３の表側の上部には、筺体２の内側に設けられた３個のリール５ａ、５ｂ、５ｃを表示するための表示部６が設けられている。前扉３の表側の中央部には、リール５ａ、５ｂ、５ｃを始動させるレバー８、リール５ａ、５ｂ、５ｃを停止させる停止スイッチ９、電子データ形式で貯留されたクレジットメダルからゲームへの賭けメダルを設定するためのベットスイッチ１０、クレジットメダルを精算するための精算スイッチ１１、メダル投入口１４等が設けられている。前扉３の表側の下部には、メダル払出口１２や払い出されたメダルを受けるメダル受け皿１３が設けられている。
【００２８】
図２、図３に示すように、筺体２の内側には、ホッパ１５を有するメダル払出装置１６、３個のリール５ａ、５ｂ、５ｃを駆動するリールユニット５、電源ユニット１７、遊技の進行を制御する制御基板（主制御基板）１８等が設けられている。
【００２９】
制御基板１８は、リールユニット５の上方位置に設けられている。この制御基板１８は、遊技機１の遊技動作を制御するプログラムを記憶したＲＯＭや、他の基板、あるいは他の部品と信号線を介して接続するための接続端子２１等を備えている。
【００３０】
制御基板１８には、レバー８、停止スイッチ９、ベットスイッチ１０等の操作による信号が入力される。これらの信号は、前扉３の裏側に設けられた扉中継基板２３を介して制御基板１８に送信される。制御基板１８は、これらの信号を取り込みながら、リールユニット５、メダル払出装置１６等を制御して、遊技の進行を制御するようになっている。
【００３１】
この遊技機１は、遊技者が所定の枚数のメダルを賭け、レバー８を操作してリール５ａ、５ｂ、５ｃを回転させ、停止スイッチ９を順次押してリール５ａ、５ｂ、５ｃを停止させることができ、リール５ａ、５ｂ、５ｃに記載された図柄がそろったときに、図柄に応じたメダルの払い出しがなされるようになっている。
【００３２】
この遊技動作を実現するために、遊技機１側の制御としては、遊技者の操作に応じてメダルの賭け枚数等の変更表示を行うとともに、図柄の揃った状態（以下、「入賞状態」という）を判定するために表示部６に設定される有効ラインを設定する。そして、レバー８の操作入力を検知したことに伴って抽選を行い、同時にリール５ａ、５ｂ、５ｃを一斉に回転させる。
【００３３】
続いて、停止スイッチ９の操作入力の検出に応じて、順次対応するリール５ａ、５ｂ、５ｃを停止させる。停止時には各リール５ａ、５ｂ、５ｃに対して、レバー８の操作入力と同時に行った抽選の当否結果に基づいて、停止スイッチ９の操作入力を検出したタイミングから所定駒数の範囲内で停止するように制御する。
【００３４】
そして、停止させたときのリール５ａ、５ｂ、５ｃの位置データに基づいて、設定した有効ライン上に入賞状態が成立しているかどうかを判定して、成立している場合には、メダル払出装置１６を駆動して、入賞状態に応じたメダルを払い出す制御を行う。
【００３５】
これらの制御は、制御基板１８上のＣＰＵが、種々の信号を取り込み、ＲＯＭに書き込まれたプログラムに基づいて各機器に向かって指令信号を発生することにより実現される。
【００３６】
図３〜図５に示すように、制御基板１８は基板ケース２５に収納されている。基板ケース２５は、制御基板１８の表面側を被覆する第１ケース部材２５ａと、制御基板１８の裏面側を覆う第２ケース部材２５ｂを有する。第１ケース部材２５ａと第２ケース部材２５ｂは、制御基板１８を挟むように収納している。基板ケース２５は、取付板２６を介して筺体２側に固定される。取付板２６は、金属製で、平面視においてほぼ長方形状に形成されている。
【００３７】
第１ケース部材２５ａおよび第２ケース部材２５ｂは、透明または半透明の合成樹脂により成形されている。これにより基板ケース２５は、内部に収納された制御基板１８を外側から目視で確認できるようになっている。
【００３８】
図４、図５に示すように、第１ケース部材２５ａには、複数の開口部２７が形成されており、この開口部２７から制御基板１８に設けられた接続端子２１が外側に露出するようになっている。
【００３９】
第１ケース部材２５ａ及び第２ケース部材２５ｂは、平面視においてほぼ長方形状に形成されている。第２ケース部材２５ｂの互いに対向する２つの短辺のうち、一方の短辺には外方に延出する係合突起部２８が形成されている。
【００４０】
また、第１ケース部材２５ａの長辺部分には、複数のＬ字型の切欠部２９が形成されている。この切欠部２９が形成されることにより、第１ケース部材２５ａの長辺部分には、その先端が第１ケース部材２５ａの長手方向に向いた突起部が形成されている。また、第２ケース部材２５ｂに形成される係合突起部２８に対面する第１ケース部材２５ａの短辺の部分には、係合突起部２８が挿通される挿通口（図示せず）が形成されている。
【００４１】
基板ケース２５を閉じる際には、第２ケース部材２５ｂに形成された突起部（図示せず）と第１ケース部材２５ａに形成される切欠部２９とを突き合わせ、また、係合突起部２８を前述の挿通口に差し込んだ状態で、第１ケース部材２５ａを第２ケース部材２５ｂに対して係合突起部２８が設けられた側とは逆側の短辺の方向に摺動させることによって、第１ケース部材２５ａは第２ケース部材２５ｂに取り付けられる。この後、後述する封止が行われる。
【００４２】
この状態では、第１ケース部材２５ａと第２ケース部材２５ｂは上記した摺動の方向と平行な方向には、互いに移動させることができるが、切欠部２９がＬ字状に形成されているために、摺動の方向と直交する方向には離脱不能となっている。
【００４３】
この基板ケース２５には、第１ケース部材２５ａと第２ケース部材２５ｂとの連結状態を維持するとともに、この基板ケース２５が遊技機１の筺体２側へ固定された状態で封止する第１封止手段３０が設けられている。また、この基板ケース２５には、第１ケース部材２５ａと第２ケース部材２５ｂとの連結状態を維持して封止する第２封止手段３１が設けられている。
【００４４】
この第１封止手段３０は、基板ケース２５が不正に開けられて、制御基板１８が不正なものに交換されたり、制御基板１８のＲＯＭのプログラムが不正に改ざんされたりすることを防止するために、基板ケース２５が開かないように第１ケース部材２５ａと第２ケース部材２５ｂとを連結して結合させるとともに、この状態を保ちながらこの基板ケース２５を遊技機１の筺体２側に固定するものである。
【００４５】
さらに、この第１封止手段３０は、所定の検査時には、基板ケース２５を筺体２から取り外すことができるとともに第１ケース部材２５ａと第２ケース部材２５ｂとの連結を解除することができるようになっている。第１封止手段３０は、その封止を解除したときに、解除の痕跡が残るようになっており、これによって、適切に検査がなされたかどうか、または、不正に封止が解除されたか否かを事後的に確認できるようになっている。
【００４６】
一方、第２封止手段３１は、基板ケース２５が不正に開けられて、制御基板１８が不正なものに交換されたり、制御基板１８のＲＯＭのプログラムが不正に改ざんされたりすることを防止するために、基板ケース２５が開かないように第１ケース部材２５ａと第２ケース部材２５ｂとを連結するものである。第２封止手段３１は、第１封止手段３０と同様に、検査等の際に、第１ケース部材２５ａと第２ケース部材２５ｂとの連結を解除でき、解除された痕跡を残すことができる。
【００４７】
図４、図５、図８〜図１０に示すように、第１封止手段３０は、第１ケース部材２５ａと第２ケース部材２５ｂとを連結するいわゆるプッシュピン方式（ピン部を所定の押圧によって操作する方式のものをいう）の連結部材３３と、この連結部材３３を受ける受け部材３４を有する。
【００４８】
図６に示すように、連結部材３３は、先端に第１係合爪３５を有するピン部３６と、円筒状の頭部３７と、ピン部３６と頭部３７とを連結する連結部３８を有する。連結部材３３の頭部３７の外周面には、第２係合爪４１、第３係合爪４２が設けられている。
【００４９】
この頭部３７は、連結部材３３が第１ケース部材２５ａと第２ケース部材２５ｂとを連結しているときに、第１ケース部材２５ａと第２ケース部材２５ｂの一方（本実施形態では第１ケース部材２５ａ側）を係止する第１係止部となっており、ピン部３６は、第１ケース部材２５ａの第２ケース部材２５ｂの他方（本実施形態では第２ケース部材２５ｂ側）を係止する第２係止部となっている。
【００５０】
ピン部３６は、その胴部が円柱状とされるともに、その一端側が二股状に形成されていて、第１片４４と第２片４５を有する。第１片４４と第２片４５は所定の間隔で離間されて形成されている。第１係合爪３５は、第１片４４と第２片４５のそれぞれに形成されている。
【００５１】
頭部３７の内径は、ピン部３６の胴部の直径よりも大きく形成されており、この頭部３７の内面とピン部３６の外面とは所定の間隔をおいて離れている。連結部３８は頭部３７とピン部３６がこのように離れた状態で、両者を一体に連結している。頭部３７とピン部３６は、２つの連結部３８，３８によって連結されている。したがって、連結部材３３には、この頭部３７とピン部３６との間に隙間Ｓが形成されている。
【００５２】
図６、図７に示すように、この連結部材３３には、この隙間Ｓを覆うように蓋体３９が一体に取り付けられている。この蓋体３９は、透明の合成樹脂によって形成され、この隙間Ｓを覆う被覆部３９ａと、被覆部３９ａを所定の取り付け位置に案内するガイド突起部３９ｂが設けられている。
【００５３】
本実施形態では、被覆部３９ａは、円板状に構成されており、前記隙間Ｓの上方に設けられている。この被覆部３９ａは、蓋体３９が連結部材３３に取り付けられた状態において、前記隙間Ｓ、およびピン部３６の上面、頭部３７の上面、連結部３８の上面を被覆している。これにより、後述する工具６０を被覆部３９ａに当接させた場合に、被覆部３９ａは、工具６０が隙間Ｓに進入するのを阻止するようになっている。すなわち、本実施形態では、被覆部３９ａは、隙間Ｓを覆うことによって、工具６０が隙間Ｓに進入するのを阻止する阻止部として機能する。
【００５４】
また、この被覆部３９ａは、所定の工具６０によって押圧される押圧部３９ｃと、所定の工具６０によって、押圧部３９ｃが押圧されたときに破断する破断部３９ｄを有する。
【００５５】
押圧部３９ｃは、被覆部（阻止部）３９ａの上面に形成されている。この押圧部３９ｃは、例えばドライバー等の工具６０によって押圧されたときに、この工具６０の先端がこの押圧部３９ｃから外れないようにすべく、押圧される方向に凹んだ凹部となっている。この押圧部３９ｃ（凹部）の底面は、所定の曲率半径による凹曲面形状となっている。蓋体３９は、全体が透明の合成樹脂によって形成され、そして、この押圧部３９ｃを凹状に形成することで、この押圧部３９ｃが連結部材３３の状態を視認可能とするためのレンズとしても機能するようになっている。
【００５６】
破断部３９ｄは、被覆部３９ａの表面と裏面に円環状の凹部または切欠（本実施形態では凹部）を形成することによって、他の部分よりも厚さが薄くなっており、その分、押圧部３９ｃが押圧されることによって破断し易くなっている。破断部３９ｄを形成するために、被覆部３９ａの表面側に形成された凹部と裏面側に形成された凹部は、平面視においてその位置が一致するようにほぼ等しい形状、ほぼ等しい大きさで形成されている。
【００５７】
このように破断部３９ｄは、円環状の凹部または切欠によって環状に構成されることなるが、押圧部３９ｃは、破断部３９ｄの環の内側に位置しており、しかも、この破断部３９ｄによって区切られて形成されている。
【００５８】
この蓋体３９は、固定手段を介して連結部材３３に一体に取り付けられている。本実施形態では、この固定手段は、融着、接着等の固着手段である。図７（ｂ）に示すように、被覆部３９ａの裏面は、ほぼ平坦面状に形成されており、そのほぼ中央部に、この裏面の平坦面状の部分が、ピン部３６、頭部３７の上面に固着されて一体となっている。なお、連結部材３３の連結部３８の上面と蓋体３９の裏面とは、連結部３８を破断し易くするために、固着されていないことが望ましい。
【００５９】
図７（ｃ）に示すように、この蓋体３９の裏面には、この裏面と連結部材３３の連結部３８が接触しないようにすべく、連結部３８に対応する位置に凹部３９ｅが形成されている。この凹部３９ｅは、連結部３８よりも大きく形成されている。すなわち、この凹部３９ｅの平面視における投影面積は、連結部の平面視における投影面積よりも大きくなっている。
【００６０】
蓋体３９のガイド突起部３９ｂは、被覆部３９ａの裏面から突出して形成されている（以下、ガイド突起部が突出する方向を、単に「突出方向」という）。本実施形態では、被覆部３９ａの裏面に、２つのガイド突起部３９ｂ、３９ｂが形成されている。このガイド突起部３９ｂは、図７（ｃ）に示すように、円筒状の頭部３７に対応して、背面視円弧状に形成されている。
【００６１】
２つのガイド突起部３９ｂのうち、一方のガイド突起部３９ｂの円弧方向の端部と、他方のガイド突起部３９ｂの円弧方向の端部とは、所定の間隔をおいて形成されている。一方のガイド突起部３９ｂの端部と、他方のガイド突起部３９ｂの端部との間隔は、連結部材３３の連結部３８の平面における幅よりも若干大きく設定されており、蓋体３９が連結部材３３に取り付けられたときに、連結部３８がこの２つのガイド突起部３９ｂの端部の間に入り、連結部３８とガイド突起部３９ｂとが干渉しないようになっている。
【００６２】
図８〜図１８に示すように、第１ケース部材２５ａには、連結部材３３を取り付けるための複数の第１取付部４７が設けられている。この実施形態では第１取付部４７の数は４である。第１取付部４７は円筒状に形成されている。第１取付部４７の底部４７ａには、連結部材３３のピン部３６が挿通される第１挿通孔４８が形成されている。この第１挿通孔４８は、円形に形成されており、その直径は、第１取付部４７の内径よりも小さくなっている。また、第１取付部４７の内面には、連結部材３３の第２係合爪４１が嵌る第１凹部５１、第３係合爪４２が嵌る第２凹部５２が形成されている。
【００６３】
図５、図２０に示すように、受け部材３４は内部が空洞とされた直方体状に形成されている。受け部材３４には、その内部に連結部材３３のピン部３６が収納される複数の第１収納部５４が形成されている。第１収納部５４は第１ケース部材２５ａに対応して設けられている。この実施形態では、第１収納部５４の数は４である。第１収納部５４は、第１ケース部材２５ａの長手方向に直交する方向（以下、「第１ケース部材の幅方向」という）に沿って一列に並んで等間隔に配置されている。
【００６４】
図９〜図１８に示すように、第１収納部５４は、受け部材３４の内部にピン部３６の収納空間を形成する複数の仕切壁部５５と、連結部材３３が基板ケース２５を封止しているときにピン部３６の第１係合爪３５を掛止する第１掛止部５６と、封止が解除されたときに、ピン部３６が第１収納部５４から抜け外れないようにする第１抜け止め部５７を有する。仕切壁部５５は、受け部材３４の側壁とともにピン部３６の収納空間（第１収納部５４）を形成している。
【００６５】
図２０に示すように、第１掛止部５６は、平面視において四角形状とされており、受け部材３４の頂面３４ａから突出するように形成されている。この第１掛止部５６には、ピン部３６の第１係合爪３５を掛止する掛止壁６１が設けられている。掛止壁６１にはピン部３６が挿通される円形の第２挿通孔６２が形成されている。なお、第２ケース部材２５ｂには、第１掛止部５６が嵌る貫通孔６４が形成されている。この貫通孔６４は、第１掛止部５６に対応して四角形状に形成されている。
【００６６】
図９〜図１８に示すように、第１抜け止め部５７は、受け部材３４の内部に設けられた抜け止め壁６６を有する。この抜け止め壁６６は、掛止壁６１とほぼ平行に設けられている。抜け止め壁６６には、ピン部３６が挿通される円形の第３挿通孔６７が形成されている。この第３挿通孔６７は、平面視において、掛止壁６１の第２挿通孔６２と同心状に形成されている。
【００６７】
図２０に示すように、受け部材３４の外面には、遊技機１の筺体２側に係止される係止突起７１が形成されている。係止突起７１は、受け部材３４の底部からこの受け部材３４の長手方向に対してほぼ直角な方向（以下、「受け部材３４の幅方向」という）に突出して形成されている。係止突起７１は、受け部材３４の幅方向の一方側に形成された１つの第１係止突起７１ａと、他方側に形成された２つの第２係止突起７１ｂ、７１ｂとを有する。
【００６８】
図１９に示すように、取付板２６には、受け部材３４を係止して保持する保持部７３が形成されている。この保持部７３は、受け部材３４の第１係止突起７１ａを係止して保持する第１保持部７３ａと、第２係止突起７１ｂを係止して保持する第２保持部７３ｂとを有する。
【００６９】
第１保持部７３ａは、第１係止突起７１ａが挿脱される第１開口部７５と、第１開口部７５に挿入された第１係止突起７１ａを係止する第１係止片７６を有する。
【００７０】
第２保持部７３ｂは、取付板２６に設けられた第２開口部７８と、この第２開口部７８の縁からこの第２開口部７８の内側に突出して形成された第２係止片７９を有する。取付板２６には、受け部材３４の２つの第２保持部７３ｂ、７３ｂに対応して、２つの第２係止片７９、７９が設けられている。第２係止片７９は、取付板２６の表面側に突出して形成されている。
【００７１】
２つの第２係止片７９、７９の間には、受け部材３４が所定の取り付け位置に設けられるように案内するとともに、所定の取り付け位置でこの受け部材３４の位置決めを行う位置決め突起部８１が形成されている。
【００７２】
受け部材３４を取付板２６に係止させるには、まず、受け部材３４の第１係止突起７１ａを第１開口部７５に挿入し、次に第１係止突起７１ａが第１係止片７６に向かうように、受け部材３４を取付板２６の長手方向に直交する方向にスライドさせる。このとき、位置決め突起部８１に受け部材３４の側面があたり、受け部材３４が所定の方向にスライドするように案内される。
【００７３】
このように受け部材３４をスライドさせると、受け部材３４の第１係止突起７１ａは、第１係止片７６の裏側に回りこんで、この第１係止片７６に係止される。これと同時に、受け部材３４の第２係止突起７１ｂは、第２係止片７９の裏側に回り込んで、この第２係止片７９に係止される。これによって、受け部材３４は、取付板２６に係止される。この状態において、位置決め突起部８１は、受け部材３４の側面に当たって、この受け部材３４が取付板２６の長手方向に移動しないように位置決めを行うようになっている。
【００７４】
図８〜図１８に示すように、第１封止手段３０の連結部材３３は、第１ケース部材２５ａと第２ケース部材２５ｂとを連結せずに待機する待機状態（図８〜図１０参照）、第１ケース部材２５ａと第２ケース部材２５ｂの結合（連結）状態を維持した状態でこの基板ケース２５を筺体２側に固定して封止する封止状態（図１２参照）、この封止を解除する解除状態（図１３参照）へと位置変更可能となっている。
【００７５】
以下、連結部材３３が待機状態から封止状態へ状態が変更される場合、および封止状態から解除状態に状態が変更される場合の作用を説明する。
【００７６】
図９に示すように、連結部材３３が待機状態（待機位置）にあるとき、この連結部材３３の第２係合爪４１は、第１取付部４７の第１凹部５１に嵌っている。これにより、連結部材３３は第１取付部４７に保持される。このとき、連結部材３３の第１係合爪３５は、第１取付部４７内に位置している。
【００７７】
図１０に示すように、この位置から頭部３７が押されると、第１凹部５１に嵌っていた第２係合爪４１が第１凹部５１から抜けはずれる。さらに、頭部３７が押されると、ピン部３６の先端が第１挿通孔４８を通じて第２挿通孔６２に挿通される。
【００７８】
このとき、二股状のピン部３６は、第１片４４と第２片４５との間隔が狭くなるように、弾性変形を伴って第２挿通孔６２に挿通される。さらに頭部３７が押されて第１係合爪３５が受け部材３４の第１掛止部５６の掛止壁６１を越えたとき、このピン部３６は、弾性変形が解除されて復元し、ピン部３６の第１片４４と第２片４５の間隔が元通りとなる。
【００７９】
このとき、第１係合爪３５は、第１掛止部５６の掛止壁６１に当たって保持され、これによって第１ケース部材２５ａと第２ケース部材２５ｂとが連結された状態を維持しながら、受け部材３４を介して筺体２側に固定され、基板ケース２５はこの状態で封止される。
【００８０】
この状態においては、受け部材３４が、第２ケース部材２５ｂの短辺側壁と当接状態にあり、第２ケース部材２５ｂの離脱方向への摺動を規制しているため、第１ケース部材２５ａと第２ケース部材２５ｂとは互いに離脱できないようになっている。
【００８１】
この封止を解除するには、まず、図１２に示すように、第１取付部４７に収容されている連結部材３３の頭部３７に取り付けられた蓋体３９の押圧部３９ｃに、ドライバー等の工具６０の先端を当接させる。そして、この工具６０を介して、この押圧部３９ｃを所定の押圧力で押圧し、破断部３９ｄを破断させる（図１３参照）。このとき、蓋体３９は、破断部３９ｄを境界として、押圧部３９ｃと、押圧部３９ｃ以外の部分とに分割される。
【００８２】
破断部３９ｄが破断した状態で、さらに押圧部３９ｃを押圧し、押圧部３９ｃが固着されているピン部３６の上面を押圧し、この力によって連結部３８をも破断させる。これにより、連結部材３３は、頭部３７とピン部３６とに分割される。
【００８３】
連結部３８を破断させて頭部３７とピン部３６とを分割させた後、さらに工具６０によって押圧部３９ｃを押圧すると、この押圧部３９ｃと一体となっているピン部３６は、第１収納部５４側に移動する。このとき、ピン部３６は、第１片４４と第２片４５の間隔が狭くなるように弾性変形しながら第３挿通孔６７に挿通される。ピン部３６がさらに押されて第１係合爪３５が第３挿通孔６７を越えたとき、弾性変形していたピン部３６が復元し、第１係合爪３５が抜け止め壁６６によって係止され、これによって、ピン部３６の抜け止めがなされることになる。
【００８４】
以上によって、第１封止手段３０による基板ケース２５の封止が解除され、基板ケース２５を筐体２側から取り外すことができるようになる。このように第１封止手段３０の封止が解除された状態（解除状態）では、ピン部３６から分割された頭部３７が、第３係合爪４２が第１取付部４７内で係止されることによって、この第１取付部４７内に残留し、頭部３７から分割されたピン部３６が、第１収納部５４内で抜け止めが為された状態で残留した状態となり、封止解除の痕跡が基板ケース２５および受け部材３４に残り、基板ケース２５は、事後的に封止解除がなされたか否かを確認できるようになっている。
【００８５】
第２封止手段３１は、図１０に示すように、第１ケース部材２５ａと第２ケース部材２５ｂとを連結する連結部材３３を有する。この連結部材３３は、第１封止手段３０と同じものであり、この連結部材３３にも前記蓋体３９が固定されている。第１ケース部材２５ａには、この連結部材３３を取り付けるための第２取付部６８が設けられている。第１ケース部材２５ａには２つの第２連結部３８、３８が形成されている。第２取付部６８は、第１取付部４７と１列になるように並んで形成されている。また、本実施形態では、２つの第２取付部６８、６８は、第１ケース部材２５ａの幅方向において、４つの第１取付部４７を挟むように配置されている。
【００８６】
第２取付部６８は、第１取付部４７と同様に円筒状に形成され、その底部に連結部材３３のピン部３６が挿通される第４挿通孔７０が形成されている。第２取付部６８の内面には、連結部材３３の第２係合爪４１、第３係合爪４２が嵌る第３凹部（図示略）、第４凹部８５が形成されている。
【００８７】
図１０に示すように、第２ケース部材２５ｂには、第２封止手段３１の連結部材３３のピン部３６を収納する第２収納部８７が形成されている。この実施形態では、２つの前記第２取付部６８、６８に対応して、２つの第２収納部８７、８７が第２ケース部材２５ｂに設けられている。この第２収納部８７は、連結部材３３が第１ケース部材２５ａと第２ケース部材２５ｂとを連結した状態で封止しているときに連結部材３３のピン部３６を掛止する第２掛止部８８と、封止が解除されたときに、ピン部３６が第２収納部８７から抜け外れないようにする第２抜け止め部８９を有する。
【００８８】
第２掛止部８８は、第１掛止部５６と同様に、第２封止手段３１によって基板ケース２５を封止するときに、連結部材３３の第１係合爪３５を掛止する第２掛止壁８８ａを有し、この第２掛止壁８８ａには、第１係合爪３５が挿通される第５挿通孔８８ｂが形成されている。
【００８９】
第２抜け止め部８９は、第２封止手段３１による封止が解除される際に、この第２封止手段３１の連結部材３３の第１係合爪３５が挿通される第６挿通孔８９ａを有する。この第６挿通孔８９ａの内径は、前記連結部材３３の２つの第１係合爪３５、３５の端部間の距離よりも若干小さくなっている。
【００９０】
第２封止手段３１は、第１封止手段３０と同様に、連結部材３３を待機状態から封止状態へ、また、封止状態から解除状態へと状態を変更できるようになっている。すなわち、第２封止手段３１の連結部材３３は、待機状態にある場合には、第２取付部６８に保持されている。
【００９１】
そして、待機状態から封止状態へと変更された場合に、連結部材３３の第１係止部である頭部３７が第１ケース部材２５ａの第２取付部６８内で係止され、かつ、第２係止部であるピン部３６の第１係合爪３５が第２ケース部材２５ｂの第２収納部８７の第２掛止壁８８ａに掛止された状態で、第１ケース部材２５ａと第２ケース部材２５ｂの連結状態が維持されるようになっている。
【００９２】
さらに、第２封止手段３１による封止が解除される場合には、蓋体３９の押圧部３９ｃが破断部３９ｄの破断とともに分割された後、連結部３８が破断されて頭部３７とピン部３６とが分割されるとともに、ピン部３６の第１係合爪３５が第２収納部８７の第２抜け止め部８９によって係止されて第２ケース部材２５ｂ側に残留し、連結部材３３の頭部３７が、第１ケース部材２５ａの第２取付部６８内に残留した状態で、第１ケース部材２５ａと第２ケース部材２５ｂとの結合が解除されるようになっている。
【００９３】
なお、図４、図５に示すように、基板ケース２５は第１固定手段９１によって筺体２側に固定される。第１固定手段９１は、第２ケース部材２５ｂの１つの第２収納部８７から第２ケース部材２５ｂの長手方向に突出形成された板状の突起部９２と、この突起部９２を筺体２側に取り付ける取付具９３を有する。この突起部９２には、その厚さ方向に貫通した孔９５が形成されている。この孔９５は、取付具９３が挿通されるものである。この実施形態では、取付具９３として、例えば螺子が用いられる。取付板２６には、この螺子が嵌る螺子孔９６が形成されている。
【００９４】
螺子孔９６は、取付板２６の長手方向の一端部側に形成されている。図５に示すように、取付板２６の長手方向の他端部側には取付板２６の厚さ方向に突出する壁部９８が設けられており、この壁部９８には、第２ケース部材２５ｂの係合突起部２８が嵌るスリット９９が形成されている。
【００９５】
基板ケース２５を取付板２６に取り付けるには、係合突起部２８が形成されている側の基板ケース２５の端部を取付板２６の中途部に当て、そのまま基板ケース２５をスリット９９に向かってスライドさせ、係合突起部２８をスリット９９にはめ込む。そして、第２ケース部材２５ｂの突起部９２に形成された孔９５と取付板２６に形成された螺子孔９６とを一致させて螺子を嵌める。これによって基板ケース２５は取付板２６に固定される。このような構成により、基板ケース２５は突起部９２だけを固定することで簡単に取付板２６に固定できるようになり、取り付けの際に作業性の良いものになる。
【００９６】
取付板２６には、筺体２にこの取付板２６を取り付けるための取付孔１０１が形成されている。取付板２６は、この取付孔１０１を介して螺子、ピン、リベット等の締結具により筺体２の縦壁に固定されるようになっている。
【００９７】
上記構成の基板ケース２５によれば、連結部材３３の第１係止部である頭部３７と第２係止部であるピン部３６と連結部３８との間に形成される隙間Ｓを覆う蓋体３９が設けられることにより、待機状態にある連結部材３３を操作して基板ケース２５を封止状態にする場合に、蓋体３９を指で押すだけで、簡単に封止状態へと移行できるようになる。
【００９８】
この蓋体３９が設けられていない場合には、図１１に示すように、ピン部３６、頭部３７、連結部３８を、指で直接押圧して連結部材３３を操作しなければならなくなる。この場合、作業者の指の位置によって、ピン部３６または頭部３７に偏った押圧力が作用する場合がある。この場合、作用する押圧力の大きさによっては、連結部３８が不測に破断してしまうおそれがある。
【００９９】
これに対し、本実施形態に係る基板ケース２５では、連結部材３３に蓋体３９が設けられ、図１０に示すように、この蓋体３９の被覆部３９ａを指で押して操作するようにすれば、ピン部３６や頭部３７に偏った押圧力が作用することを防止でき、これによって、連結部３８が不測に破断することを防止できるようになる。
【０１００】
特に、被覆部３９ａの裏面に平坦面状の部分を形成し、この部分をピン部３６の上面、頭部３７の上面に当接（面接触）させて固定していることから、被覆部３９ａを押圧操作したときに、その押圧力が、連結部材３３に対して偏って作用することを防止できるようになる。
【０１０１】
また、連結部材３３を封止状態から解除状態へと状態を変更する場合には、図１２、図１３に示すように、工具６０を押圧部３９ｃに当接させて押圧し、破断部３９ｄを破断させるとともに連結部３８を破断させることによって、容易に封止を解除できるようになる。また、工具６０によって押圧される押圧部３９ｃが凹部となっていることから、工具６０をこの押圧部３９ｃに当接して押圧したときに、この工具６０の先端が押圧部３９ｃからずれ難くなる。したがって、この蓋体３９は、工具６０を所定の押圧位置（押圧部３９ｃ）にて押圧することで、破断部３９ｄおよび連結部３８を確実かつ簡単に破断させることができるようになっている。
【０１０２】
この連結部材３３に蓋体３９が設けられていない場合には、図１４に示すように、ピン部３６の上面を工具６０で直接押圧して連結部３８を破断させる必要があるが、この場合には、工具６０の先端がピン部３６の上面からずれてピン部３６と頭部３７の間の隙間Ｓに入り、連結部３８をうまく破断できなくなる場合が考えられる。このように、工具６０の先端がピン部３６と頭部３７の間の隙間Ｓに入った状態で、連結部３８を破断させようとして、無理矢理に押圧したり、または、ピン部３６の中心からずれた位置で押圧すると、たとえ連結部３８を破断できたとしても、図１５に示すように、ピン部３６が斜めに傾いた状態で下方に移動する場合があり、封止の解除が適正になされないおそれがある。
【０１０３】
これに対し、本実施形態にかかる基板ケース２５では、蓋体３９の被覆部（阻止部）３９ａが連結部材３３の隙間Ｓを覆うように連結部材３３に一体に設けられているので、工具６０の隙間Ｓへの進入が阻止されることになり、上記のような封止の解除が不適正となることを防止できる。
【０１０４】
また、この蓋体３９は、固定手段によって連結部材３３と一体に取り付けられていることから、連結部材３３を待機状態から封止状態へと変更する場合、連結部材３３の移動を何ら阻害することなく、連結部材３３と共に移動することができる。
【０１０５】
また、この蓋体３９は、透明な合成樹脂によって形成されていることから、連結部材３３が待機状態、封止状態、封止解除状態の各状態において、外部からこの蓋体３９を通じて連結部材３３の状態を視認することができる。
【０１０６】
また、蓋体３９が透明な合成樹脂製とされていること、および、押圧部３９ｃが凹部（凹状）となっていることによって、この凹部は、レンズとしても機能することになり、これによって、基板ケース２５に対する不正行為の有無を判断できるようになる。
【０１０７】
この点について、図１６〜図１８を参照しながら詳しく説明する。
【０１０８】
通常、ピン部３６の上面には、連結部材３３を個々に判別でき、しかも不正行為を防止する等の観点から、ピン部３６の頂面には、アルファベットその他の識別記号が一体に形成されている（図１６（ａ）を参照）。蓋体３９が透明とされていることから、これらの識別記号は、蓋体３９（押圧部３９ｃ）を通じて視認できる。
【０１０９】
不正行為が行われていない適正な状態では、図１６（ａ）に示すように、複数の連結部材３３を平面から見た場合、レンズとなっている被覆部３９ａの押圧部３９ｃを通じて、各連結部材３３の識別記号は、それぞれ同じ大きさに見える。
【０１１０】
例えば、図１６（ｂ）に示すように、（１）カッターやナイフその他の先端が鋭利な道具（工具）１１１を、封止状態にある第１封止手段３０の連結部材３３に対して蓋体３９の被覆部３９ａの周縁から差し込んで、（２）図１７に示すように、連結部３８が破断するように第１取付部４７から頭部３７を引き抜き、（３）その後、ドライバー等の工具６０によって、頭部３７から分割されたピン部３６を下方に押し込んで（図１７参照）、封止解除の位置に移動させ、（４）取り外した頭部３７を再び第１取付部４７内に戻す、というように、破断部３９ｄが破断されずに封止が解除される行為が行われたものと仮定する。
【０１１１】
この場合には、ピン部３６と頭部３７が離れていることから、図１８（ａ）に示すように、第２封止手段３１の連結部材３３のピン部３６上面に形成された識別記号「Ａ」と、上記行為が行われた連結部材３３のピン部３６上面に形成された識別記号「Ｂ」とを比較すると、第１封止手段３０の連結部材３３側の蓋体３９に設けられた縮小レンズ（凹レンズ）の効果により、この蓋体３９の識別記号「Ｂ」の方が、第１封止手段３０の連結部材３３側の識別記号「Ａ」に比べて極端に小さく見える。基板ケース２５は、この識別記号の極端な大きさの違いにより、封止が解除されたか否かを視認でき、封止解除の痕跡を確認することによって、不正行為の有無を判断できるようになっている。
【０１１２】
図２１は、連結部材３３および蓋体３９の変形例を示している。この変形例では、蓋体３９を連結部材３３に固定するための固定手段が上記した実施形態と異なる。この変形例では、蓋体３９のガイド突起部３９ｂの突出方向における中途部外面に連結部材３３の筒状の頭部３７に係止される係止突起部３９ｆが形成されている。
【０１１３】
連結部材３３の頭部３７には、蓋体３９の係止突起部３９ｆと係合する係止凹部３７ａが形成されている。この係止凹部３７ａは、頭部３７の下面側から頭部３７の上面側に向かって凹んだ凹部となっており、その頂面が蓋体３９の係止突起部３９ｆを係止する係止面３７ｂとなっている。
【０１１４】
この変形例では、蓋体３９の係止突起部３９ｆと連結部材３３の係止凹部３７ａとによって、蓋体３９を連結部材３３に固定するための固定手段が構成される。
【０１１５】
なお、この変形例では、ガイド突起部３９ｂが被覆部３９ａから突出する突出長さは、連結部材３３の頭部の筒心方向の長さと略等しくなっている。
【０１１６】
この蓋体３９を連結部材３３に固定するには、まず、ガイド突起部３９ｂを、連結部材３３の連結部３９と干渉しないようして、頭部３７の内側に挿入する。そうすると、ガイド突起部３９ｂの係止突起部３９ｆが頭部３７の内面に当接し、これによって、ガイド突起部３９ｂは、頭部３７の半径方向内方に若干弾性変形する。
【０１１７】
さらにガイド突起部３９ｂを押し込んで、係止突起部３９ｆが係止凹部３７ａの係止面３７ｂを越えたとき、弾性変形していたガイド突起部３９ｂは元の形状に戻り、図２１（ｃ）に示すように、係止突起部３９ｆが係止面３７ｂに当接することによって、蓋体３９は、頭部３７から抜けはずれないように固定される。この変形例のその他の点は、上記した実施形態とほぼ同様であり、この変形例と上記の実施形態とが共通する部分には、共通符号を付して説明を割愛する。
【０１１８】
図２２は、連結部材３３および蓋体３９の他の変形例を示している。図２１に示した蓋体３９では、ガイド突起部３９ｂの中途部外面に係止突起部３９ｆが形成されていたが、この変形例では、蓋体３９のガイド突起部３９ｂの突出端部に係止突起部３９ｆが形成されており、この点が図２１のものと異なる。
【０１１９】
連結部材３３の頭部３７に形成された係止凹部３７ａは、ガイド突起部３９ｂの突出端部に形成された係止突起部３９ｆを係止できるように、図２１の場合よりも、その深さ（頭部３７の下面から係止面までの距離）が浅く（短く）なっている。この変形例におけるその他の点は、図２１の変形例とほぼ同じであり、この変形例が図２１の変形例と共通する部分には、共通符号を付して、その説明を割愛する。
【０１２０】
なお、本発明は上記の実施形態に限らず、以下のように種々の変更・変形が可能である。
【０１２１】
例えば、上記の実施形態では、蓋体３９の押圧部３９ｃを凹部とした例を示したが、これに限らず、押圧部３９ｃに環状または筒状の突起部を設けるようにしてもよい。これによって、この突起部の内側で工具６０によって押圧すれば、工具６０はこの突起部に規制されることになり、押圧位置がずれることなく、容易に封止解除の操作を行うことができるようになる。
【０１２２】
また、上記実施形態では、蓋体３９の押圧部３９ｃの底面を所定の曲率半径の曲面形状とした例を示したが、これに限らず、凹状の押圧部３９ｃの底面を平坦面状に構成するようにしてもよい。
【０１２３】
また、上記の実施形態では、蓋体３９を透明の合成樹脂によって形成していたが、これに限らず、半透明、または非透明の合成樹脂によって形成してもよい。
【０１２４】
また、上記の実施形態では、第１ケース部材２５ａに第１取付部４７、第２取付部６８が設けられていたが、これらを第２ケース部材２５ｂ側に設けてもよい。同様に、第２ケース部材２５ｂに設けられていた第２収納部８７を第１ケース部材２５ａ側に設けてもよい。このようにした場合は、連結部材３３の第１係止部である頭部３７によって、第２ケース部材２５ｂを係止し、第２係止部であるピン部３６によって第１ケース部材２５ａを係止することで、両者を連結できる。
【０１２５】
上記実施形態では、蓋体３９の表面側と裏面側に円環状の凹部または切欠を形成して、厚さが薄い破断部３９ｄを形成した例を示したが、この凹部等の形状は円環状に限らず、楕円状、多角形状その他の環形状を採用できる。また、破断部３９ｄの構成は、円環状の凹部等を形成する場合に限らず、例えば、被覆部３９ａの押圧部３９ｃを取り囲むように複数の貫通孔を環状に配置する等して、他の部分よりも破断し易い破断部３９ｄを構成するようにしてもよい。
【０１２６】
上記実施形態では、連結部材３３のピン部３６と頭部３７を２つの連結部３８で連結し
た例を示したが、これに限らず、連結部３８の数は、３以上の複数であっても
よい。蓋体３９のガイド突起部３９ｂの数は、この連結部３８と干渉しないように、この
連結部３８の数に応じて、３以上の複数であってもよい。                                                                                
【０１２７】
上記実施形態では、第２封止手段３０として、その封止が解除されたときに、第１係止部である頭部３７が基板ケース２５の第１ケース部材２５ａに残留し、第２係止部であるピン部３６が基板ケース２５の第２ケース部材２５ｂに残留する例を示したが、これに限らず、頭部３７とピン部３６の一方が、第１ケース部材２５ａと第２ケース部材２５ｂの一方に残留するような構成にしてもよい。
【０１２８】
すなわち、本実施形態において、基板ケース２５の封止手段（第１封止手段３０、第２封止手段３１）は、その封止が解除されたときに、第１係止部と第２係止部の少なくとも一方が、第１ケース部材２５ａと第２ケース部材２５ｂの少なくとも一方に残留するように構成されていればよい。
【０１２９】
上記の実施形態では、蓋体３９（被覆部３９ａ）と連結部材３３を別体に構成し、蓋体３９を固定手段を介して連結部材３３の頭部３７に取り付けられるようにした例を示したが、これに限らず、連結部材３３と被覆部３９ａとを樹脂成形によって一体に形成するようにしてもよい。この場合、ガイド突起部３９ｂは、省略可能である。このように、阻止部である被覆部３９ａを連結部材３３一体に形成した場合には、連結部材３３の連結部３８を省略することができる。
【０１３０】
すなわち、被覆部３９ａを介して頭部３７とピン部３６とを連結した状態に形成するとともに、工具６０を用いて押圧部３９ｃを押圧して破断部３９ｄを破断させ、頭部３７とピン部３６とを分割して封止を解除し、さらに押圧部３９ｃとともにピン部３６を所定の解除位置まで移動させることができる。
【０１３１】
また、上記の実施形態では、蓋体３９の被覆部３９ａに押圧部３９ｃを形成した例を示したが、これに限らず、平面視においてピン部３６の位置に対応する被覆部３９ａの中央部分に工具６０を挿通可能な貫通孔を形成し、貫通孔を通じてピン部３６を工具６０で直接押圧できるようにしてもよい。この場合、この貫通孔が、工具６０が所定の押圧位置からずれるのを阻止する阻止部となり、連結部３８を容易に破断させて封止の解除作業を容易に行うことができる。
【図面の簡単な説明】
【０１３２】
【図１】本発明の一実施形態に係る遊技機の斜視図である。
【図２】同じく遊技機の扉が開かれた状態における斜視図である。
【図３】筺体の正面図である。
【図４】ケース、固定部材の斜視図である。
【図５】ケース、制御基板、取付板の斜視図である。
【図６】蓋体が設けられた連結部材を示し、（ａ）はその平面図、（ｂ）は（ａ）のＡ−Ａ矢視線断面図、（ｃ）はその斜視図である。
【図７】蓋体を示し、（ａ）はその平面図、（ｂ）は（ａ）のＢ−Ｂ矢視線断面図、（ｃ）はその背面図である。
【図８】連結部材が待機状態にあるときの斜視図である。
【図９】図８のＸ−Ｘ線における断面図である。
【図１０】図８のＹ−Ｙ線における断面図である。
【図１１】連結部材に蓋体が設けられていない場合の例を示す基板ケースの部分断面図である。
【図１２】工具が連結部材の押圧部を押圧している状態を示す基板ケースの部分断面図である。
【図１３】工具によって破断部を破断させた後の状態を示す基板ケースの部分断面図である。
【図１４】連結部材に蓋体が設けられていない状態で、工具がピン部を押圧する状態を示す基板ケースの部分断面図である。
【図１５】連結部材に蓋体が設けられていない状態で、工具がピン部を押圧して連結部を破断させた状態を示す基板ケースの部分断面図である。
【図１６】不正に封止状態が解除される直前の基板ケースを示し、（ａ）はそのときの各連結部材の平面図を示し、（ｂ）は基板ケースの部分断面図である。
【図１７】不正に封止状態が解除されたときの基板ケースの部分断面図である。
【図１８】不正に封止状態が解除されたときの基板ケースを示し、（ａ）はそのときの各連結部材の平面図、（ｂ）は基板ケースの部分断面図である。
【図１９】取付板の平面図である。
【図２０】受け部材の平面図である。
【図２１】連結部材および蓋体の変形例を示し、（ａ）はその平面図、（ｂ）は（ａ）のＣ−Ｃ矢視線断面図、（ｃ）は（ａ）のＤ−Ｄ矢視線断面図である。
【図２２】蓋体の変形例を示す断面図である。
【符号の説明】
【０１３３】
１    遊技機
２    筺体
１８    制御基板（制御基板）
２５    基板ケース
２５ａ  第１ケース部材
２５ｂ  第２ケース部材
３０    第１封止手段
３１    第２封止手段
３３    連結部材
３６    ピン部（第２係止部）
３７    頭部（第１係止部）
３８    連結部
３９    蓋体
３９ａ  阻止部（被覆部）
３９ｂ  ガイド突起部
３９ｃ  押圧部
３９ｄ  破断部
【図１】
0005101973.tif 000002
【図２】
0005101973.tif 000003
【図３】
0005101973.tif 000004
【図４】
0005101973.tif 000005
【図５】
0005101973.tif 000006
【図６】
0005101973.tif 000007
【図７】
0005101973.tif 000008
【図８】
0005101973.tif 000009
【図９】
0005101973.tif 000010
【図１０】
0005101973.tif 000011
【図１１】
0005101973.tif 000012
【図１２】
0005101973.tif 000013
【図１３】
0005101973.tif 000014
【図１４】
0005101973.tif 000015
【図１５】
0005101973.tif 000016
【図１６】
0005101973.tif 000017
【図１７】
0005101973.tif 000018
【図１８】
0005101973.tif 000019
【図１９】
0005101973.tif 000020
【図２０】
0005101973.tif 000021
【図２１】
0005101973.tif 000022
【図２２】
0005101973.tif 000023